(57)【要約】【課題】駆動モータ等の外部からの動力を一切使用しないシンプルな構成となっており、よって、メンテナンスの手間を省くことができるとともに占有空間を省スペース化することができる箱解体用治具を提供する。【解決手段】箱解体用治具１は、ベース部１０と、段ボール箱を挟持するための挟持部３０を備えており、当該挟持部３０は水平方向に延びる軸５０を中心としてベース部１０に対して回転可能となっている。挟持部３０により挟持されている段ボール箱は、挟持部３０が軸５０を中心として所定の待機位置から回転したときに、その上下が反転させられるようになっている。【選択図】図１
2018043786.tif 000002
【特許請求の範囲】
【請求項１】
少なくとも一面がテープにより封止された略四角柱形状の段ボール箱の解体を行うための箱解体用治具であって、
ベース部と、
前記ベース部に設けられ、段ボール箱を挟持するための挟持部と、
を備え、
前記挟持部は水平方向に延びる回転軸を中心として前記ベース部に対して回転可能となっており、前記挟持部が前記回転軸を中心として所定の待機位置から回転したときに当該挟持部により挟持されている段ボール箱の上下が反転させられるようになっている、箱解体用治具。
【請求項２】
前記ベース部には、テープを切断するための切断部が更に設けられている、請求項１記載の箱解体用治具。
【請求項３】
前記挟持部が前記待機位置に位置しているときに当該挟持部により挟持されるべき段ボール箱が載置される載置部を更に備えた、請求項１または２記載の箱解体用治具。
【請求項４】
前記載置部は、段ボール箱が水平面に対して傾斜した状態で載置されるような構成となっている、請求項３記載の箱解体用治具。
【請求項５】
前記挟持部は、一対の挟持部材を有しており、段ボール箱は一対の前記挟持部材により挟持されるようになっている、請求項１乃至４のいずれか一項に記載の箱解体用治具。
【請求項６】
各前記挟持部材が高摩擦部材から構成されている、請求項５記載の箱解体用治具。
【請求項７】
前記挟持部は、一方の前記挟持部材を他方の前記挟持部材に向かって押圧する押圧部材を更に有している、請求項５または６記載の箱解体用治具。
【発明の詳細な説明】
【技術分野】
【０００１】
本発明は、段ボール箱の解体作業を行う際に用いられる箱解体用治具に関する。なお、解体作業とは、内容物を取り出した後の段ボール箱を、略四角柱形状である状態から、略平板状に折り畳まれた状態とする作業のことをいう。
【背景技術】
【０００２】
従来から、段ボール箱の開梱、内容物の取出しおよび空箱の解体を自動または手動により行う装置として、例えば、特許文献１や特許文献２に開示されているものが用いられている。特許文献１に開示される装置は、段ボール箱の開梱等を自動で行うものであって、揺動支持台上で段ボール箱の側壁を吸引カップにより保持し、フラップ開放装置により上側フラップを開き、揺動支持台による支持を解除して物品の自重により段ボール箱の下側フラップを開くことにより物品を落下させ、その後に側壁吸引カップを揺動させて段ボール箱を折畳むようになっている。また、特許文献２に開示される装置は、段ボール箱の開梱等を手動で行うものであって、載置台上で段ボール箱および切断部を手動で移動させることにより、段ボール箱のテープを切断するようになっている。
【先行技術文献】
【特許文献】
【０００３】
【特許文献１】特開平５−２５４５２５号公報
【特許文献２】特開２０１６−５５８７４号公報
【発明の概要】
【発明が解決しようとする課題】
【０００４】
ここで、特許文献１に開示される装置は、複数の搬送装置や駆動装置から構成されており、設備コストが高くなるとともに広い設置スペースを必要とするものであり、工場内のスペースを広く占有してしまうという問題がある。また、特許文献２に開示される装置では、段ボール箱の上面および底面を封止している各々のテープが同時に切断されるようになっており、段ボール箱を装置から取り出す際に内容物が段ボール箱の底側から落ちないようにするためには、空箱の解体作業を妨げるような変更を装置に加える必要があるという問題がある。
【０００５】
本発明は、このような点を考慮してなされたものであり、駆動モータ等の外部からの動力を一切使用しないシンプルな構成であるためメンテナンスの手間を省くことができるとともに占有空間を省スペース化することができる箱解体用治具を提供することを目的とする。
【課題を解決するための手段】
【０００６】
本発明の箱解体用治具は、少なくとも一面がテープにより封止された略四角柱形状の段ボール箱の解体を行うための箱解体用治具であって、ベース部と、前記ベース部に設けられ、段ボール箱を挟持するための挟持部と、を備え、前記挟持部は水平方向に延びる回転軸を中心として前記ベース部に対して回転可能となっており、前記挟持部が前記回転軸を中心として所定の待機位置から回転したときに当該挟持部により挟持されている段ボール箱の上下が反転させられるようになっていること特徴とする。
【０００７】
このような箱解体用治具によれば、段ボール箱が挟持される挟持部が、水平方向に延びる回転軸を中心としてベース部に対して回転可能となっており、当該挟持部が回転軸を中心として所定の待機位置から回転したときに、挟持部により挟持されている段ボール箱の上下が反転させられるようになっているため、駆動モータ等の外部からの動力を一切使用しないシンプルな構成とすることができ、よってメンテナンスの手間を省くことができるとともに占有空間を省スペース化することができる。
【０００８】
本発明の箱解体用治具においては、前記ベース部には、テープを切断するための切断部が更に設けられていてもよい。
【０００９】
本発明の箱解体用治具は、前記挟持部が前記待機位置に位置しているときに当該挟持部により挟持されるべき段ボール箱が載置される載置部を更に備えていてもよい。
【００１０】
この場合、前記載置部は、段ボール箱が水平面に対して傾斜した状態で載置されるような構成となっていてもよい。
【００１１】
本発明の箱解体用治具においては、前記挟持部は、一対の挟持部材を有しており、段ボール箱は一対の前記挟持部材により挟持されるようになっていてもよい。
【００１２】
この場合は、各前記挟持部材が高摩擦部材から構成されていてもよい。
【００１３】
また、前記挟持部は、一方の前記挟持部材を他方の前記挟持部材に向かって押圧する押圧部材を更に有していてもよい。
【発明の効果】
【００１４】
本発明の箱解体用治具によれば、駆動モータ等の外部からの動力を一切使用しないシンプルな構成とすることができ、よってメンテナンスの手間を省くことができるとともに占有空間を省スペース化することができる。
【図面の簡単な説明】
【００１５】
【図１】本発明の実施の形態による箱解体用治具の構成を概略的に示す正面図である。
【図２】図１に示す箱解体用治具の上面図である。
【図３】（ａ）（ｂ）は、それぞれ、図１に示す箱解体用治具に設けられた押圧部材により段ボール箱が折り畳まれる際の押圧部材の動作を示す上面図である。
【図４】図１に示す箱解体用治具により段ボール箱の解体を行う動作を示す側面図である。
【図５】図４に示す状態から引き続く、図１に示す箱解体用治具により段ボール箱を解体する動作を示す側面図である。
【図６】図５に示す状態から引き続く、図１に示す箱解体用治具により段ボール箱を解体する動作を示す側面図である。
【図７】図６に示す状態から引き続く、図１に示す箱解体用治具により段ボール箱を解体する動作を示す側面図である。
【発明を実施するための形態】
【００１６】
以下に、図面を参照して本発明の実施の形態について説明する。図１乃至図７は、本実施の形態による箱解体用治具を示す図である。このうち、図１は、本実施の形態による箱解体用治具の正面図であり、図２は、図１に示す箱解体用治具の構成を概略的に示す上面図である。また、図３（ａ）（ｂ）は、それぞれ、図１に示す箱解体用治具に設けられた押圧部材により段ボール箱が折り畳まれる際の押圧部材の動作を示す上面図である。また、図４乃至図７は、図１に示す箱解体用治具により段ボール箱を解体する動作を順に示す側面図である。なお、図１乃至図７において、解体されるべき段ボール箱を参照符号Ｃで示しており、図５乃至図７において、段ボール箱のフラップを参照符号Ｆで示している。また、図５において、段ボール箱の内容物を参照符号Ｉで示している。
【００１７】
図１および図２に示すように、本実施の形態による箱解体用治具１は、ベース部１０と、少なくとも一面がテープにより封止された略四角柱形状の段ボール箱を載置するための載置部２０と、段ボール箱を挟持するための挟持部３０と、段ボール箱を封止しているテープを切断するための切断部４０とを備えている。また、ベース部１０には、水平方向に延びる軸を中心として、挟持部３０を図１に示す待機位置から図６に示す折り畳み位置まで回転可能とする軸部材５０が設けられている。すなわち、挟持部３０は、軸部材５０を中心としてベース部１０に対して図１に示す待機位置と図６に示す折り畳み位置との間で回転可能となっている。また、挟持部３０により挟持された段ボール箱は、当該挟持部３０が待機位置から折り畳み位置まで回転したときに、その上下が反転するようになっている。そして、このような箱解体用治具１を用いて段ボール箱を解体するにあたり、作業者は、段ボール箱を載置部２０へ載置し、挟持部３０により挟持させた後に、切断部４０を用いて当該段ボール箱の上面を封止しているテープを切断し、内容物を取り出す。その後、挟持部３０を軸部材５０を中心として待機位置から折り畳み位置まで回転させ、段ボール箱の上下を反転させることにより、別のテープにより封止されている面を上方へ向け、再び切断部４０によりこの別のテープを切断し、作業者の手および挟持部３０を用いて段ボール箱を折り畳む。このような箱解体用治具１の詳細について以下に説明する。
【００１８】
図１および図２に示すように、ベース部１０は、図２における左右方向に延びる一対のパイプと、この左右一対のパイプを接続するための、図２における上下方向に延びるパイプとを有しており、これらのパイプによりベース部の底部分が構成されている。また、図１に示すように、図２における左右方向に延びる各パイプの両端近傍の位置および中間近傍の位置には、鉛直方向上方に延びるよう３本のパイプがそれぞれ接続されている。
【００１９】
また、図１に示すように、載置部２０は、ベース部１０に設けられており、挟持部３０により挟持されるべき段ボール箱が載置されるようになっている。ここで、載置部２０は、載置された段ボール箱の自重を利用して当該段ボール箱の位置決めを行うことができるよう、その載置面が、挟持部３０の回転中心である軸部材５０に向かって傾斜した状態（すなわち、図１における斜め下方に向かって傾斜した状態）となるよう構成されている。また、この位置決めは、段ボール箱が、挟持部３０により挟持されたときの回転中心（すなわち、軸部材５０）に近づくように行われるようになっている。このことにより、段ボール箱の位置決めを容易に行うことができるようになる。さらに、この位置決めが、挟持部３０により挟持されたときの回転中心である軸部材５０に近づくよう行われるようになっているため、挟持部３０により挟持された段ボール箱を回転させる際に必要な力は、軸部材５０から離れた位置において挟持部３０により挟持された段ボール箱を回転させる際に必要な力と比較して小さくなるため、段ボール箱を解体する際の作業負荷を軽減することができる。
【００２０】
また、切断部４０は、ベース部１０に設けられており、段ボール箱を封止しているテープを切断するための切断具４４と、切断具４４の吊り下げ保持および引き出しが可能となっているバランサー４２とを有している。ここで、バランサー４２は、例えば先端に工具等を接続することのできるワイヤーと、ワイヤーを巻き取りおよび巻出し可能なドラムと、当該ワイヤーを常に巻き取り方向に付勢するばね等を有するものである。そのため、バランサー４２内部でワイヤーに与えられている巻き取り方向への付勢力に逆らって、切断具４４が接続されたワイヤーを巻き出すことにより、巻き出したワイヤーの長さ分だけバランサー４２から離れた場所において、切断具４４により段ボール箱を封止しているテープを切断することができるようになっている。また、切断具４４を使用しないときは、バランサー４２の内部のばね等による巻き取り方向への付勢力によって、切断具４４の接続されたワイヤーが巻き取られるようになっているため、切断具４４は、バランサー４２の近傍で吊り下げ保持されるようになっている。また、バランサー４２のワイヤーは、その先端に接続される工具等を回転可能に保持することが可能となっている。そのため、作業者は、切断具４４の向き等を自由に変更しながらテープの切断を行うことができるようになっている。このことにより、テープを切断するための切断具４４をベース部１０や挟持部３０と一体のものとすることができ、さらに、使用時には切断具４４の接続されたワイヤーをバランサー４２の内部のドラムから巻き出して使用し、不使用時にはワイヤーをバランサー４２の内部のドラムに巻き取らせることにより、箱解体用治具１の利便性を向上させることができるようになっている。
【００２１】
また、挟持部３０は、ベース部１０に設けられており、段ボール箱の側面を挟持するための一対の挟持部材３２、３４と、一方の挟持部材３４を他方の挟持部材３２に向かって押圧するばね部材３５（押圧部材）とを有している。また、上述したように、挟持部３０は、軸部材５０を中心として、図１に示す待機位置から、図６に示す折り畳み位置まで回転するようになっている。このことにより、挟持部３０により段ボール箱を挟持したまま、軸部材５０を中心として当該段ボール箱を回転させることが可能となり、よって挟持部３０を回転させる前後において段ボール箱の上下を反転させることができるようになっている。さらに、段ボール箱が挟持部３０に挟持されている状態を保ったまま、当該段ボール箱の上面および下面を封止しているテープを切断部４０により切断することができるようになっているため、箱解体用治具１の利便性を向上させることができるようになる。
【００２２】
また、図３（ａ）（ｂ）に示すように、一方の挟持部材３４は、伸縮可能なばね部材３５と接続されており、当該ばね部材３５の復元力によって、挟持部材３４が、もう一方の挟持部材３２に向かって押圧されるようになっている。なお、挟持部３０に段ボールが挟持されているときには、挟持部材３４と当接している段ボール箱の側面が、対向する段ボールの側面に向かって押圧されるようになっている。このことにより、挟持部３０により段ボール箱を挟持することができるようになっており、軸部材５０を中心として当該挟持部３０を回転させたときに、段ボール箱が挟持部３０から滑落することを防止することができるようになる。
【００２３】
また、ばね部材３５の復元力により、挟持部材３４を介して段ボール箱の側面に押圧力（以下、「挟持部材３４による押圧力」と記す。）が加わることにより、上記の効果だけでなく、段ボール箱の解体を行う際にも有利な効果を得ることができるようになる。すなわち、図３（ａ）に示すような、挟持部３０に挟持されている段ボール箱の上側フラップおよび下側フラップを開いた状態において、段ボール箱の角部の近傍に力（図３（ａ）における白抜きの矢印参照）を加えることにより、挟持部材３４による押圧力を用いて、当該段ボール箱を図３（ｂ）に示す状態となるよう変形させることができるようになっている（すなわち、挟持部材３４により段ボール箱の解体作業の補助が行われるようになっている）。このことにより、段ボール箱の解体作業をより効率的に行うことができるようになる。
【００２４】
さらに、挟持部３０が上記のような構成となっていることにより、多少（例えば、数ｃｍ程度）幅の異なる段ボール箱であっても、一対の挟持部材３２、３４により挟持させることができるため、様々な大きさの段ボール箱の解体を行うことができるようになり、よって箱解体用治具１の利便性を向上させることができるようになる。
【００２５】
また、段ボール箱の側面と接触する箇所を有する一対の挟持部材３２および３４は高摩擦部材から構成されている。このことにより、軸部材５０を中心として、段ボール箱の挟持されている挟持部３０を回転させたときに、当該挟持部３０からの段ボール箱の滑落を防止することができるようになっている。
【００２６】
なお、ばね部材３５の復元力が大きすぎる場合には、挟持部材３４による押圧力が大きくなるため、挟持部３０からの段ボール箱の滑落を防ぐことができる。しかし、そもそも挟持部３０に段ボール箱を挟持させることが難しくなってしまうため、箱解体用治具１を用いた段ボール箱の解体作業の効率等を低下させてしまう。その一方で、ばね部材３５の復元力が小さすぎる場合には、挟持部３０に段ボール箱を挟むことは容易に行えるものの、挟持部材３４による押圧力が小さくなるため、挟持部３０を軸部材５０を中心として回転させたときに段ボール箱を持ち上げることができず、箱解体用治具１により段ボール箱の解体を行うことができなくなってしまう。このため、ばね部材３５の復元力を適切な大きさに調整することが好ましい。
【００２７】
このように、箱解体用治具１は、段ボール箱を挟持するための挟持部材３２および３４を高摩擦部材から構成し、さらに、適切な復元力を有するばね部材３５を用いることにより、利便性等を損なわずに、高い作業効率を実現することができるようになっている。
【００２８】
次に、このような構成からなる箱解体用治具１を用いた、段ボール箱の解体動作について図４乃至図７を用いて説明する。なお、解体作業を行う対象である段ボール箱は、上面および下面がテープにより封止されている段ボール箱のみでなく、一方の面（具体的には、載置部２０に載置された時の上面）がすでに開梱された状態の段ボール箱であってもよく、また、内容物がすでに取り出されている段ボール箱であってもよい。
【００２９】
最初に、作業者は、載置部２０に段ボール箱を載置し、位置決めを行った後に、当該段ボール箱を挟持部３０により挟持させる。そして、バランサー４２から切断具４４を引き出し、当該切断具４４によって段ボール箱の上面を封止しているテープを切断する（図４参照）。なお、切断具４４は、バランサー４２から巻き出して使用された後、巻き取り方向に常時加えられている付勢力により巻き取られ、吊り下げられた状態でバランサー４２の近傍に保持される。また、挟持部３０に段ボール箱を挟持させるタイミングは、切断部４０によるテープの切断を行った後であってもよい。
【００３０】
そして、作業者は、テープにより封止されていた段ボール箱のフラップを手で開き、内容物（図５において参照符号Ｉで表示）を取り出す。次に、フラップが開かれた状態の段ボール箱を挟持している挟持部３０を、軸部材５０を中心として、図５に示す待機位置から図６に示す折り畳み位置まで（すなわち、図５における時計回り方向に）回転させる。このことにより、挟持部３０により挟持された段ボール箱の上下を反転させることができ、テープにより封止されているもう一方の面が上方を向くようになる。
【００３１】
次に、段ボール箱の上下を反転させたことによって上方を向くようになった面を封止しているテープを、切断部４０を用いて切断する（図６参照）。その後、テープが切断された面（すなわち、図６における上面）のフラップを開く。そして、段ボール箱の角部の近傍を、手前側（すなわち、図７における右方向）に引っ張ることにより、上述したようにばね部材３５による復元力を用いて、段ボール箱を折り畳むことができる（図７参照）。このようにして、箱解体用治具１を利用した段ボール箱の解体動作が完了する。なお、段ボール箱の角部の近傍を手前側に引くだけでなく、奥側（すなわち、図７における左方向）に押した場合であっても、ばね部材３５による復元力を用いて、段ボール箱を折り畳むことができる。
【００３２】
以上のような構成からなる箱解体用治具１によれば、挟持部３０は水平方向に延びる軸部材５０を中心としてベース部１０に対して回転可能となっており、挟持部３０が軸部材５０を中心として所定の待機位置（すなわち、図１に示す位置）から回転したときに挟持部３０により挟持されている段ボール箱の上下が反転させられるような構成となっている。このことにより、シンプルな構成を実現できるようになり、よって占有空間を省スペース化でき、また、メンテナンス等の手間を省くことができる。
【００３３】
また、本実施の形態の箱解体用治具１においては、上述したように、ベース部１０には、テープを切断するための切断部４０が設けられている。この場合には、別途カッター等の切断具を用意することなく、箱解体用治具１に設けられている切断部４０により段ボール箱を封止しているテープを切断することができる。
【００３４】
また、本実施の形態の箱解体用治具１においては、上述したように、挟持部３０が待機位置にいるときに当該挟持部３０により挟持されるべき段ボール箱が載置される載置部２０が設けられており、当該載置部２０には、段ボール箱が水平面に対して傾斜した状態で載置されるようになっている。この場合には、段ボール箱を載置部２０に載置した後にこの段ボール箱を挟持部３０により挟持させることができるため、箱解体用治具１の利便性を向上させることができる。さらに、載置部２０が傾斜している場合には、自重を用いた段ボール箱の位置決めを行うことができるようになり、箱解体用治具１の利便性をさらに向上させることができる。
【００３５】
また、本実施の形態の箱解体用治具１においては、上述したように、挟持部３０は、一対の挟持部材３２、３４を有しており、段ボール箱は、当該一対の挟持部材３２、３４により挟持されるようになっている。この場合には、一対の挟持部材３２、３４により段ボール箱を挟持した状態で挟持部３０を軸部材５０を中心として回転させることができるようになる。また、これらの挟持部材３２、３４が高摩擦部材から構成されていることにより、挟持部３０により段ボール箱を挟持し、回転させるときに、段ボール箱が滑落することを防止することができるようになっている。また、挟持部３０は、段ボール箱のある側面を対向する他の側面に向かって押圧するばね部材３５を更に有している。このようなばね部材３５は、一方の挟持部材３４を他方の挟持部材３２に向かって押圧する押圧部材としての機能を有する。この場合には、段ボール箱が滑落することを更に防ぐことができるようになるだけでなく、例えば数ｃｍ幅の異なる段ボール箱であっても箱解体用治具１を用いてその解体を行うことができ、さらには押圧力によって段ボール箱を折り畳む動作を補助することができるようになっている。
【００３６】
なお、本実施の形態による箱解体用治具１は上述したような態様に限定されることはなく、様々な変更を加えることができる。
【００３７】
例えば、本実施の形態による箱解体用治具１において、切断部４０は、ベース部１０に設けられていなくてもよい。この場合においても、例えば、持ち運びが可能であるカッター等の他の切断具を用いることにより、箱解体用治具１を用いた段ボール箱の解体作業を行うことができる。
【００３８】
また、切断具４４は、バランサー４２に釣り下げ保持されている必要はなく、ベース部１０にトレイ等を設け、この設けられたトレイ等の載置部分に載置されるようになっていてもよい。この場合であっても、使用時にトレイ等から切断具４４を取り出すことにより、箱解体用治具１を用いた段ボール箱の解体作業をおこなうことができるようになる。
【００３９】
また、載置部２０や挟持部３０には、ベース部１０の下端からの高さを変更できる機構が設けられていてもよい。この場合には、載置部２０等を適切な高さに設定することにより、異なる高さを有する段ボール箱であっても、一方の面のフラップが開かれた状態にある段ボール箱が、挟持部３０により折り畳み位置まで回転させられたとき（図６参照）に、床面とフラップの下端縁とが接するようにすることができるため、箱解体用治具１の利便性を向上させることができる。
【符号の説明】
【００４０】
１      箱解体用治具
１０    ベース部
２０    載置部
３０    挟持部
３２、３４    挟持部材
３５    ばね部材（押圧部材）
４０    切断部
４２    バランサー
４４    切断具
５０    軸部材
【図１】
2018043786.tif 000003
【図２】
2018043786.tif 000004
【図３】
2018043786.tif 000005
【図４】
2018043786.tif 000006
【図５】
2018043786.tif 000007
【図６】
2018043786.tif 000008
【図７】
2018043786.tif 000009